(57)【要約】      （修正有）【課題】  設置場所では表示内容を一覧、且つ、容易に更新することができ、さらにモニタ等を通じて設置場所以外の場所からでもその表示内容を参照することが可能な、利便性の高い表示板システムを提供する。【解決手段】  表示板システム１は、表示板２と、予め所定情報を記憶するメモリ部と、表面に設けられて前記所定情報の全部または一部を可視的に表示するラベル部と、表示板に着脱可能に貼り付けるための固定部とを有する情報表示タグ３と、前記表示板に形成されたリーダエリア２１に設置され、情報表示タグが貼り付けられたときに、この情報表示タグの前記所定情報を非接触で読み出すリーダ４と、情報表示タグから読み出された前記所定情報と、表示板におけるこのリーダエリアの位置とを対応させて記憶するサーバ７と、サーバが記憶した前記所定情報と、表示板におけるリーダエリアの位置とを表示するモニタ８とから構成される。【選択図】  図１
2006119168.tif 000002
【特許請求の範囲】
【請求項１】
表示板と、
予め所定情報を記憶するメモリ部と、表面に設けられて前記メモリ部に記憶された前記所定情報の全部または一部を可視的に表示するラベル部と、前記表示板に着脱可能に貼り付けるための固定部とを有する情報表示タグと、
前記表示板に形成されたリーダエリアに設置され、前記リーダエリアに前記情報表示タグが貼り付けられたときに、この情報表示タグの前記メモリ部に記憶された前記所定情報を非接触で読み出すリーダと、
前記リーダエリアに前記情報表示タグが貼り付けられたときに、このリーダエリアに設置された前記リーダにより前記情報表示タグから読み出された前記所定情報と、前記表示板におけるこのリーダエリアの位置とを対応させて記憶するサーバと、
前記サーバが対応させて記憶した前記所定情報と、前記表示板における前記リーダエリアの位置とを表示する画面表示手段とから構成されることを特徴とする表示板システム。
【請求項２】
前記情報表示タグは、非接触状態で情報の読み出しが可能なＩＣタグであり、
前記リーダは、前記情報表示タグと電磁波を用いて通信して、前記メモリ部の前記所定情報を読み出すことを特徴とする請求項１に記載の表示板システム。
【請求項３】
前記表示板は磁性体であり、
前記情報表示タグの前記固定部は磁石であることを特徴とする請求項１又は２に記載の表示板システム。
【請求項４】
前記リーダエリアは、前記表示板にマトリクス状に形成されることを特徴とする請求項１〜３のいずれかに記載の表示板システム。
【請求項５】
予め前記リーダエリアの列の種類を示唆する列情報を記憶する第２メモリ部と、表面に設けられて前記第２メモリ部に記憶された前記列情報の全部または一部を可視的に表示する第２ラベル部と、前記表示板に着脱可能に貼り付けるための第２固定部とを有する列見出し表示タグと、
前記表示板にマトリクス状に形成された前記リーダエリアの列の見出しに設置され、前記リーダエリアの列の見出しに前記列見出し表示タグが貼り付けられたときに、この列見出し表示タグの前記第２メモリ部に記憶された前記列情報を非接触で読み出す列見出しリーダとを備え、
前記サーバは、前記リーダエリアに前記情報表示タグが貼り付けられたときに、このリーダエリアに設置された前記リーダにより前記情報表示タグから読み出された前記所定情報と、前記表示板におけるこのリーダエリアの位置と、前記列見出しリーダにより前記列見出し表示タグから読み出された前記列情報とを対応させて記憶し、
前記画面表示手段は、前記サーバが対応させて記憶した前記所定情報と、前記表示板におけるこのリーダエリアにおける前記リーダエリアの位置と、前記列情報とを表示することを特徴とする請求項４に記載の表示板システム。
【請求項６】
前記列見出し表示タグは、非接触状態で情報の読み出しが可能なＩＣタグであり、
前記列見出しリーダは、前記列見出し表示タグと電磁波を用いて通信して、前記第２メモリ部の前記列情報を読み出すように構成されることを特徴とする請求項５に記載の表示板システム。
【請求項７】
前記列見出し表示タグの前記第２固定部は磁石であることを特徴とする請求項５又は６に記載の表示板システム。
【請求項８】
前記サーバと前記画面表示手段は、通信ネットワークを介して接続可能であることを特徴とする請求項１〜７のいずれかに記載の表示板システム。
【請求項９】
前記情報表示タグの前記メモリ部に記憶された前記所定情報に係る表示用情報を予め記憶するデータベースと、
前記リーダエリアに前記情報表示タグが貼り付けられたときに、この情報表示タグに記憶されている前記所定情報に基づいて、前記データベースから対応する前記表示用情報を検索し、該情報をサーバに送信する情報制御手段とを備え、
前記サーバは、前記リーダエリアに前記情報表示タグが貼り付けられたときに、このリーダエリアに設置された前記リーダにより前記情報表示タグから読み出された前記所定情報と、前記表示板におけるこのリーダエリアの位置と、前記情報制御手段により送信された前記表示用情報とを対応させて記憶し、
前記画面表示手段は、前記サーバが対応させて記憶した前記所定情報と、前記表示板における前記リーダエリアの位置と、前記情報制御手段により送信された前記表示用情報とを関連付けて表示することを特徴とする請求項１〜８のいずれかに記載の表示板システム。
【請求項１０】
前記所定情報には、予め優先度が設定されており、
前記情報制御手段は、行方向に並んだ複数の前記リーダエリアに前記情報表示タグが貼り付けられたときに、これら情報表示タグに記憶されている所定情報のうち最も優先度の高い所定情報に基づいて、前記データベースから対応する前記表示用情報を検索して、該情報を前記サーバに送信することを特徴とする請求項４〜９のいずれかに記載の表示板システム。
【請求項１１】
前記サーバは、前記リーダエリアに前記情報表示タグが貼り付けられたときに、このリーダエリアに設置された前記リーダにより前記情報表示タグから読み出された前記所定情報と、前記表示板におけるこのリーダエリアの位置と、前記列見出しリーダにより前記列見出し表示タグから読み出された前記列情報と、前記情報制御手段により送信された前記表示用情報とを対応させて記憶し、
前記画面表示手段は、前記サーバが対応させて記憶した前記所定情報と、前記表示板における前記リーダエリアの位置と、前記列情報と、前記情報制御手段により送信された前記表示用情報とを関連付けて表示することを特徴とする請求項５〜１０のいずれかに記載の表示板システム。
【請求項１２】
前記表示板には、マトリクス状に形成された前記リーダエリアの行の端部に表示エリアが設置され、
前記表示エリアは、前記サーバに記憶されて、該表示エリアと同じ行に位置するいずれかの前記リーダエリアに貼り付けられた前記情報表示タグに係る前記表示用情報を表示することを特徴とする請求項４〜１１のいずれかに記載の表示板システム。
【請求項１３】
前記表示エリアには、液晶表示器が設置されていることを特徴とする請求項１２に記載の表示板システム。
【発明の詳細な説明】
【技術分野】
【０００１】
本発明は、表示板の表示内容をそのままパソコンのモニタ等に画面表示できる表示板システムに関する。
【背景技術】
【０００２】
従来、職場において社員の行き先情報を表示するために、例えば、鉄製のホワイトボード等の行き先表示板に、行き先等を手書きしたり、あるいは、表面に行き先等が記載されたマグネットシートを貼り付けたりしている。そして、電話外線があったときに該当者が不在の場合には、電話を受けた人が前記行き先表示板を見て、該当者の行き先等を伝えていた。
【０００３】
また、最近はこのような情報を表示するために、パソコンの行動予定管理プログラムに各社員の行き先等の行動予定情報を入力して、パソコンの画面上の仮想の行き先表示板に表示し、職場の内外から参照することが可能なコンピュータシステムが提案されている（例えば、特許文献１を参照）。
【特許文献１】実登２５０８３９１号公報
【発明の開示】
【発明が解決しようとする課題】
【０００４】
上記のようなホワイトボート等を用いた行き先表示板では、どの社員がどこに外出しているか、社員の行動を一覧できる使い勝手のよさを備えている。そして、行き先情報に変更が生じた場合には、手書きで修正するかあるいはマグネットの種類を変更するだけで、管理が容易である。しかし、当然ながら、表示板の内容を外出先から直接見ることはできないという問題があった。
【０００５】
また、上記のような行き先表示板では、職場にいる社員が電話を受ける度に該行き先表示板を見なければならず、応答作業が煩雑であるとともに、各人が見える位置に行き先表示板を掲げねばならず、職場のレイアウトが制約されるというおそれもあった。
【０００６】
また、パソコンを用いた行き先情報の管理は、文字ベースでなされていることが多く、社員の外出先を確認するためにパソコン上の仮想の表示板を見て行き先情報を読み取る作業が、前記ホワイトボードの行き先表示板比べて見辛いものであった。また、パソコンを用いた行き先情報の管理では、行き先情報を更新する際は文字入力等の煩雑な操作が必要であるため、最新状態への更新を忘れるケースが多くなり、利用頻度が低下して、次第に使用されなくなるおそれがあった。
【０００７】
本発明は、このような問題に鑑みてなされたものであり、設置場所では表示内容を一覧することができ、且つ、表示内容を容易に更新することができ、さらにモニタ等を通じて表示内容を画面表示することができ、設置場所以外の場所からでもその表示内容を参照することが可能な、利便性の高い表示板システムを提供することを目的とする。
【課題を解決するための手段】
【０００８】
上記の目的を達成するため、本発明の表示板システムは、表示板と、予め所定情報を記憶するメモリ部と、表面に設けられて前記メモリ部に記憶された前記所定情報の全部または一部を可視的に表示するラベル部と、前記表示板に着脱可能に貼り付けるための固定部とを有する情報表示タグと、前記表示板に形成されたリーダエリアに設置され、前記リーダエリアに前記情報表示タグが貼り付けられたときに、この情報表示タグの前記メモリ部に記憶された前記所定情報を非接触で読み出すリーダと、前記リーダエリアに前記情報表示タグが貼り付けられたときに、このリーダエリアに設置された前記リーダにより前記情報表示タグから読み出された前記所定情報と、前記表示板におけるこのリーダエリアの位置とを対応させて記憶するサーバと、前記サーバが対応させて記憶した前記所定情報と、前記表示板における前記リーダエリアの位置とを表示する画面表示手段（例えば、本実施例におけるモニタ８）とから構成される。
【０００９】
なお、前記情報表示タグは、非接触状態で情報の読み出しが可能なＩＣタグであり、前記リーダは、前記情報表示タグと電磁波を用いて通信して、前記メモリ部の前記所定情報を読み出すように構成することが望ましい。
【００１０】
また、前記表示板は磁性体であり、前記情報表示タグの前記固定部は磁石であることが望ましい。
【００１１】
また、前記リーダエリアは、前記表示板にマトリクス状に形成されることが望ましい。
【００１２】
また、予め前記リーダエリアの列の種類を示唆する列情報を記憶する第２メモリ部と、表面に設けられて前記第２メモリ部に記憶された前記列情報の全部または一部を可視的に表示する第２ラベル部と、前記表示板に着脱可能に貼り付けるための第２固定部とを有する列見出し表示タグと、前記表示板にマトリクス状に形成された前記リーダエリアの列の見出しに設置され、前記リーダエリアの列の見出しに前記列見出し表示タグが貼り付けられたときに、この列見出し表示タグの前記第２メモリ部に記憶された前記列情報を非接触で読み出す列見出しリーダとを備え、前記サーバは、前記リーダエリアに前記情報表示タグが貼り付けられたときに、このリーダエリアに設置された前記リーダにより前記情報表示タグから読み出された前記所定情報と、前記表示板におけるこのリーダエリアの位置と、前記列見出しリーダにより前記列見出し表示タグから読み出された前記列情報とを対応させて記憶し、前記画面表示手段（例えば、本実施例におけるモニタ８）は、前記サーバが対応させて記憶した前記所定情報と、前記表示板におけるこのリーダエリアにおける前記リーダエリアの位置と、前記列情報とを表示するように構成されることが望ましい。
【００１３】
また、前記列見出し表示タグは、非接触状態で情報の読み出しが可能なＩＣタグであり、前記列見出しリーダは、前記列見出し表示タグと電磁波を用いて通信して、前記第２メモリ部の前記列情報を読み出すように構成されることが望ましい。
【００１４】
また、前記列見出し表示タグの前記第２固定部は磁石であることが望ましい。
【００１５】
また、前記サーバと前記画面表示手段（例えば、本実施例におけるモニタ８）は、通信ネットワークを介して接続可能であることが望ましい。
【００１６】
また、前記情報表示タグの前記メモリ部に記憶された前記所定情報に係る表示用情報を予め記憶するデータベースと、前記リーダエリアに前記情報表示タグが貼り付けられたときに、この情報表示タグに記憶されている前記所定情報に基づいて、前記データベースから対応する前記表示用情報を検索し、該情報をサーバに送信する情報制御手段とを備え、前記サーバは、前記リーダエリアに前記情報表示タグが貼り付けられたときに、このリーダエリアに設置された前記リーダにより前記情報表示タグから読み出された前記所定情報と、前記表示板におけるこのリーダエリアの位置と、前記情報制御手段により送信された前記表示用情報とを対応させて記憶し、前記画面表示手段は、前記サーバが対応させて記憶した前記所定情報と、前記表示板における前記リーダエリアの位置と、前記情報制御手段により送信された前記表示用情報とを関連付けて表示することが望ましい。
【００１７】
また、前記所定情報には、予め優先度が設定されており、前記情報制御手段は、行方向に並んだ複数の前記リーダエリアに前記情報表示タグが貼り付けられたときに、これら情報表示タグに記憶されている所定情報のうち最も優先度の高い所定情報に基づいて、前記データベースから対応する前記表示用情報を検索して、該情報を前記サーバに送信することが望ましい。
【００１８】
また、前記サーバは、前記リーダエリアに前記情報表示タグが貼り付けられたときに、このリーダエリアに設置された前記リーダにより前記情報表示タグから読み出された前記所定情報と、前記表示板におけるこのリーダエリアの位置と、前記列見出しリーダにより前記列見出し表示タグから読み出された前記列情報と、前記情報制御手段により送信された前記表示用情報とを対応させて記憶し、前記画面表示手段は、前記サーバが対応させて記憶した前記所定情報と、前記表示板における前記リーダエリアの位置と、前記列情報と、前記情報制御手段により送信された前記表示用情報とを関連付けて表示することが望ましい。
【００１９】
また、前記表示板には、マトリクス状に形成された前記リーダエリアの行の端部に表示エリアが設置され、前記表示エリアは、前記サーバに記憶されて、該表示エリアと同じ行に位置するいずれかの前記リーダエリアに貼り付けられた前記情報表示タグに係る前記表示用情報を表示することが望ましい。
【００２０】
また、前記表示エリアには、液晶表示器が設置されていることが望ましい。
【発明の効果】
【００２１】
このような構成によれば、本発明は、設置場所（例えば、職場など）では表示内容を一覧することができ、且つ、表示内容を容易に更新することができる。さらに、表示板の表示内容をモニタ等に画面表示して、設置場所以外の場所からでもその表示内容を参照することができるため、例えば、外出者は通信ネットワークを介して外部端末から職場に設置された表示板の表示内容を自ら確認して、電話の応答業務を軽減することができるなど、利便性の高い表示板システムを提供することができる。
【００２２】
なお、前記情報表示タグは、非接触状態で情報の読み出しが可能なＩＣタグであり、前記リーダは、前記情報表示タグと電磁波を用いて通信して、前記メモリ部の前記所定情報を読み出すように構成することが望ましい。このような構成によれば、本発明は、ＩＣタグに対する情報の読み取りが電磁波により行われるため、大量のデータが付加された場合でも短時間で且つ容易に読み取ることができ、作業効率を向上させることができる。特に、後述の本実施形態のように、職場における行き先表示板など、社員名、各社員毎の行き先や連絡先などＩＣタグが数多く貼り付けられたり、表示内容が頻繁に更新されるような場合には、このようなＩＣタグの利用は効果的である。
【００２３】
また、前記表示板は磁性体であり、前記情報表示タグの前記固定部は磁石であることが望ましい。このような構成によれば、本発明は、情報表示タグを表示板に容易に着脱することができる。
【００２４】
また、前記リーダエリアは、前記表示板にマトリクス状に形成されることが望ましい。このような構成によれば、本発明は、設置場所（例えば、職場など）において、これを見た人が該表示板の表示内容をより簡単に把握することができる。
【００２５】
また、予め前記リーダエリアの列の種類を示唆する列情報を記憶する第２メモリ部と、表面に設けられて前記第２メモリ部に記憶された前記列情報の全部または一部を可視的に表示する第２ラベル部と、前記表示板に着脱可能に貼り付けるための第２固定部とを有する列見出し表示タグと、前記表示板にマトリクス状に形成された前記リーダエリアの列の見出しに設置され、前記リーダエリアの列の見出しに前記列見出し表示タグが貼り付けられたときに、この列見出し表示タグの前記第２メモリ部に記憶された前記列情報を非接触で読み出す列見出しリーダとを備え、前記サーバは、前記リーダエリアに前記情報表示タグが貼り付けられたときに、このリーダエリアに設置された前記リーダにより前記情報表示タグから読み出された前記所定情報と、前記表示板におけるこのリーダエリアの位置と、前記列見出しリーダにより前記列見出し表示タグから読み出された前記列情報とを対応させて記憶し、前記画面表示手段は、前記サーバが対応させて記憶した前記所定情報と、前記表示板におけるこのリーダエリアにおける前記リーダエリアの位置と、前記列情報とを表示するように構成されることが望ましい。
【００２６】
このような構成によれば、本発明は、表示板にマトリクス状に形成されたリーダエリアの各列に列の種類を示す見出しが貼り付けられるため、これを見た人は簡単且つ正確に該表示板の表示内容を把握することができる。
【００２７】
また、前記列見出し表示タグは、非接触状態で情報の読み出しが可能なＩＣタグであり、前記列見出しリーダは、前記列見出し表示タグと電磁波を用いて通信して、前記第２メモリ部の前記列情報を読み出すように構成されることが望ましい。このような構成によれば、本発明は、ＩＣタグに対する情報の読み取りが電磁波により行われるため、大量のデータが付加された場合でも短時間で且つ容易に読み取ることができ、作業効率を向上させることができる。また、列見出し表示タグに対応させて、リーダエリアに貼り付けられた情報表示タグの管理が可能であるため、保守性がよい。
【００２８】
また、前記列見出し表示タグの前記第２固定部は磁石であることが望ましい。このような構成によれば、本発明は、列見出し表示タグを表示板に容易に着脱することができる。
【００２９】
また、前記サーバと前記画面表示手段は、通信ネットワークを介して接続可能であることが望ましい。このような構成によれば、本発明は、設置場所以外の場所、例えば外出先からも通信ネットワークを介して外部端末を用いて、表示板の表示内容を閲覧することができるため、大変便利である。
【００３０】
また、前記情報表示タグの前記メモリ部に記憶された前記所定情報に係る表示用情報を予め記憶するデータベースと、前記リーダエリアに前記情報表示タグが貼り付けられたときに、この情報表示タグに記憶されている前記所定情報に基づいて、前記データベースから対応する前記表示用情報を検索し、該情報をサーバに送信する情報制御手段とを備え、前記サーバは、前記リーダエリアに前記情報表示タグが貼り付けられたときに、このリーダエリアに設置された前記リーダにより前記情報表示タグから読み出された前記所定情報と、前記表示板におけるこのリーダエリアの位置と、前記情報制御手段により送信された前記表示用情報とを対応させて記憶し、前記画面表示手段は、前記サーバが対応させて記憶した前記所定情報と、前記表示板における前記リーダエリアの位置と、前記情報制御手段により送信された前記表示用情報とを関連付けて表示することが望ましい。このような構成によれば、本発明は、予めデータベースにＩＣタグの所定情報に係る表示用情報を複数記憶させておき、例えば、表示板に貼付されたＩＣタグの組み合わせに応じて、該データベースから所定の表示用情報を読み出し、この読み出した表示用情報と該当するＩＣタグの所定情報とを関連付けて容易に画面表示させることができるため、本システムの利便性をさらに高めることができる。
【００３１】
また、前記所定情報には、予め優先度が設定されており、前記情報制御手段は、行方向に並んだ複数の前記リーダエリアに前記情報表示タグが貼り付けられたときに、これら情報表示タグに記憶されている所定情報のうち最も優先度の高い所定情報に基づいて、前記データベースから対応する前記表示用情報を検索して、該情報を前記サーバに送信することが望ましい。このような構成によれば、本発明は、表示板に複数のＩＣタグが貼り付けられた場合、最も優先度の高いＩＣタグに係る表示用情報をデータベースから読み出し、この読み出した表示用情報と該当するＩＣタグの所定情報とを関連付けて画面表示させることができる。
【００３２】
また、前記サーバは、前記リーダエリアに前記情報表示タグが貼り付けられたときに、このリーダエリアに設置された前記リーダにより前記情報表示タグから読み出された前記所定情報と、前記表示板におけるこのリーダエリアの位置と、前記列見出しリーダにより前記列見出し表示タグから読み出された前記列情報と、前記情報制御手段により送信された前記表示用情報とを対応させて記憶し、前記画面表示手段は、前記サーバが対応させて記憶した前記所定情報と、前記表示板における前記リーダエリアの位置と、前記列情報と、前記情報制御手段により送信された前記表示用情報とを関連付けて表示することが望ましい。このような構成によれば、本発明は、画面上に、表示板に貼付されたＩＣタグの所定情報と、これに係る表示用情報、及び、前記ＩＣタグが貼り付けられた各列の種類を示す列見出し情報が画面表示されるため、これを見た人は簡単且つ正確に該表示板の表示内容を把握することができる。
【００３３】
また、前記表示板には、マトリクス状に形成された前記リーダエリアの行の端部に表示エリアが設置され、前記表示エリアは、前記サーバに記憶されて、該表示エリアと同じ行に位置するいずれかの前記リーダエリアに貼り付けられた前記情報表示タグに係る前記表示用情報を表示することが望ましい。このような構成によれば、本発明では、表示板の（マトリクス状に形成されたリーダエリアの）同じ行に貼付されたＩＣタグの組み合わせに応じて、データベースから該当する表示用情報を読み出し、この読み出した情報を、前記ＩＣタグが貼り付けられた同じ行の端部に設けた表示エリアに表示するようになっている。その結果、例えば、ＩＣタグが複数貼り替えられるような場合でも、これに係る情報更新は簡単且つスピーディーに行うことができ、大変使い勝手がよい。
【００３４】
また、前記表示エリアには、液晶表示器が設置されていることが望ましい。このような構成によれば、本発明は、表示板の表示エリアに、例えば、外部に漏洩すると業務上差し障りのある情報が表示されている場合でも、液晶表示器のスイッチをオフにするだけで、不意の来客時などでもすぐに対応でき、情報の安全性を高めることができる。また、情報更新時には、マーカーなどで書き替える手間も省け、便利である。
【発明を実施するための最良の形態】
【００３５】
以下、図面を参照して本発明の好ましい実施形態について説明する。まず、図１を用いて、本発明の表示板システム１について説明する。この表示板システム１は、表示板２と、情報表示タグ３と、リーダ４と、列見出し表示タグ５と、列見出しリーダ６と、サーバ７と、モニタ８から構成される。
【００３６】
表示板２は、図２にも示すように、鉄等の磁性体からなり、表面にマトリクス状に形成されたリーダエリア２１と、該リーダエリアの列見出し２２とから構成される。なお、表示板２に形成されるリーダエリア２１は、該表示板２が設置される職場や環境に応じて行及び列の数が設定されている（本実施形態では、図１及び２に示すように、リーダエリア２１は、４行５列のマトリクス状に形成されている）。
【００３７】
情報表示タグ３は、図３にも示すように、予め所定情報を記憶するメモリ部３１ａと、リーダ４との間で電波やマイクロ波等の電磁波を用いた無線通信を行うアンテナ部３１ｂを備えてなり、非接触状態で情報の読み出しが可能なＩＣタグ３１と、表面に設けられてメモリ部３１ａに記憶された所定情報の全部または一部を可視的に表示するラベル部３２と、磁性体の表示板２に着脱可能に貼り付けるため磁石からなる固定部３３とを有して構成される。
【００３８】
ここで、ＩＣタグ３１のメモリ部３１ａに予め記憶される所定情報とは、例えば、図２に示すように「山田」，「田中」，「佐藤」，「山本」といった具体的な社員名、「本社」，「Ａ社」，「Ｂ社」といった具体的な外出先、「123-4567」，「234-5678」，「345-6789」といった携帯電話の番号や訪問先の電話番号などの具体的な連絡先、「会議」，「打ち合わせ」，「営業」，「有給休暇中」といった具体的な行動予定内容などであり、これら情報は図示しない非接触型の（リーダ）ライタ端末機等により設定される。また、このようなメモリ部３１ａに記憶された内容の全部または一部は、図３に例示する「山田」のように、ラベル部３２に可視的に表示されている。なお、情報表示タグ３のメモリ部３１ａに記憶される情報は、本実施形態に限定されるものではなく、適宜設定可能である。
【００３９】
ＩＣタグ３１のアンテナ部３１ｂは、リーダ４から送信された電波を電磁誘導又は電磁結合により受電して、リーダ４との無線通信を行うための駆動用電力を得ることができるようになっている。
【００４０】
リーダ（読み出し装置）４は、図２の点線及び図３にも示すように、表示板２に形成された各リーダエリア２１に設置され、該リーダエリア２１に情報表示タグ３が貼り付けられたときに、この情報表示タグ３のメモリ部３１ａに記憶された前記所定情報を非接触で読み出すように構成される。より詳しくは、リーダ４は、情報表示タグ３のアンテナ部３１ｂと電磁波を用いて通信して、（情報表示タグ３の）メモリ部３１ａの前記所定情報を読み出すように構成される。
【００４１】
列見出し表示タグ５は、図４にも示すように、予めリーダエリア２１の列の種類を示唆する列情報を記憶する第２メモリ部５１ａと、列見出しリーダ６との間で電波やマイクロ波等の電磁波を用いた無線通信を行う第２アンテナ部５１ｂ等からなり非接触状態で情報の読み出しが可能な第２ＩＣタグ５１と、表面に設けられて第２メモリ部５１ａに記憶された前記列情報の全部または一部を可視的に表示する第２ラベル部５２と、表示板２に着脱可能に貼り付けるため磁石からなる第２固定部５３とを有して構成される。
【００４２】
ここで、第２ＩＣタグ５１の第２メモリ部５１ａに予め記憶されるリーダエリア２１の列の種類を示唆する列情報とは、例えば、図２に示すように「名前」，「行き先」，「連絡先」，「行動予定内容」といったものであり、これら情報は図示しない非接触型の（リーダ）ライタ端末機等により設定される。また、この第２メモリ部５１ａに記憶された内容の全部または一部は、図４に例示する「名前」のように、第２ラベル部５２に可視的に表示されている。このような列見出し表示タグ５の第２メモリ部５１ａに記憶される列情報は、本実施形態に限定されるものではなく、適宜設定可能である。
【００４３】
第２ＩＣタグ５１の第２アンテナ部５１ｂは、列見出しリーダ６から送信された電波を電磁誘導又は電磁結合により受電して、列見出しリーダ６との無線通信を行うための駆動用電力を得ることができるようになっている。
【００４４】
列見出しリーダ６は、図２の太い点線及び図４にも示すように、表示板２にマトリクス状に形成されたリーダエリア２１の列見出し２２に設置され、該リーダエリア２１の列見出し２２に列見出し表示タグ５が貼り付けられたときに、この列見出し表示タグ５の第２メモリ部５１ａに記憶された前記列情報を非接触で読み出すように構成される。より詳しくは、列見出しリーダ６は、列見出し表示タグ５の第２アンテナ部５１ｂと電磁波を用いて通信して、列見出し表示タグ５の第２メモリ部５１ａから前記列情報を読み出すように構成されている。
【００４５】
サーバ７は、リーダエリア２１に情報表示タグ３が貼り付けられたときに、このリーダエリア２１に設置されたリーダ４により情報表示タグ３から読み出された前記所定情報と、表示板２におけるこのリーダエリア２１の位置と、列見出しリーダ６により列見出し表示タグ５から読み出された前記列情報とを対応させて記憶するように構成される。
【００４６】
なお、サーバ７は、リーダエリア２１に情報表示タグ３が貼り付けられているものの、当該エリアの列見出し２２に列見出し表示タグが貼り付けられていないときは、このリーダエリア２１に設置されたリーダ４により情報表示タグ３から読み出された前記所定情報と、表示板２におけるこのリーダエリア２１の位置とを対応させて記憶するように構成することもできる。
【００４７】
また、サーバ７は、リーダエリア２１に情報表示タグ３が貼り付けられていないものの、当該エリアの列見出し２２に列見出し表示タグ５が貼り付けられているときは、この（列見出し表示タグ５は貼り付けられているが）情報表示タグ３が貼り付けられていないリーダエリア２１の位置と、列見出しリーダ６により列見出し表示タグ５から読み出された前記列情報とを対応させて記憶するように構成することもできる。
【００４８】
ここで一例を挙げると、サーバ７は、図２に示す表示板２の４行２列目にハッチングが施されたリーダエリア２１のように、リーダエリア２１に情報表示タグ３が貼り付けられていないものの、当該エリアの列見出し２２に「行き先」という列見出し表示タグ５が貼り付けられているときは、この情報表示タグ３が貼り付けられていないリーダエリア２１の位置（すなわち、４行２列目のリーダエリア２１）と、列見出しリーダ６により「行き先」列見出し表示タグ５から読み出された前記列情報とを対応させて記憶する。
【００４９】
モニタ８は、図５にも示すように、サーバ７が対応させて記憶した前記所定情報、表示板２におけるリーダエリア２１の位置及び前記列情報を表示するように構成される。
【００５０】
なお、本実施形態では、サーバ７に前記所定情報や前記列情報が欠けて記憶されている場合、モニタ８では、該当するリーダエリア２１や列見出し２２を空欄として表示するように構成している。
【００５１】
ここで一例を挙げると、図２に示す表示板２の４行２列目のリーダエリア２１（ハッチングが施された部分）のように情報表示タグ３が貼り付けられていない場合、すなわち、サーバ７が対応させて記憶する所定情報、表示板２におけるリーダエリア２１の位置及び列情報のうち、前記所定情報が欠けて記憶されている場合、モニタ８では、図５に示す画面中の表において該当する４行２列目の欄（太枠の部分）を空欄として表示している。
【００５２】
次に、上記のような構成の表示板システム１における処理の流れについて、図６のフローチャートを用いて説明する。
【００５３】
まず、リーダエリア２１に情報表示タグ３が貼り付けられたか否かを判定する（ステップＳ１０１）。ここで、表示板２のリーダエリア２１に情報表示タグ３が貼り付けられていないと判定された場合は、ステップＳ１０３に進む。一方、リーダエリア２１に情報表示タグ３が貼り付けられたと判定された場合は、この情報表示タグ３のメモリ部３１ａに記憶されている所定情報をリーダ４により読み出し（ステップＳ１０２）、ステップＳ１０３に進む。ステップＳ１０３では、表示板２の列見出し２２に列見出し表示タグ５が貼り付けられているか否かを判定する。ここで、列見出し２２に列見出し表示タグ５が貼り付けられていないと判定された場合は、ステップＳ１０５に進む。一方、列見出し２２に列見出し表示タグ５が貼り付けられたと判定された場合は、この列見出し表示タグ５の第２メモリ部５１ａに記憶されている列情報を列見出しリーダ６により読み出し（ステップＳ１０４）、ステップＳ１０５に進む。
【００５４】
ステップＳ１０５では、サーバ７が、上記ステップＳ１０２でリーダ４によって情報表示タグ３から読み出された前記所定情報、この情報表示タグ３が貼り付けられた表示板２におけるこのリーダエリア２１の位置、及び、上記ステップＳ１０４で列見出しリーダ６により列見出し表示タグ５から読み出された前記列情報を対応させて記憶し、ステップＳ１０６に進む。ステップＳ１０６では、モニタ８が、サーバ７が対応させて記憶した前記所定情報、前記表示板２におけるリーダエリア２１の位置及び前記列情報を画面表示して、本処理を終了する。
【００５５】
これにより、例えば、図２に示す表示板２の表示内容を、図５に示すモニタ８にそのまま画面表示することが可能である。
【００５６】
以上のように、本発明の表示板システム１は、職場など表示板２の設置場所では表示内容を一覧することができ、且つ、情報表示タグ３や列見出しタグ５を入れ替えるだけで表示板２の表示内容を容易に更新することができる。さらに、表示板２の表示内容をそのままモニタ８に画面表示することができるため、例えば外出先など、表示板２の設置場所以外の場所からでもその表示内容を参照することが可能であり、利便性が高い。
【００５７】
なお、本発明は、上記実施形態に限定されるものではなく、本発明の要旨を逸脱しない範囲であれば適宜改良可能である。
【００５８】
例えば、サーバ７とモニタ８は、通信ネットワークを介して接続するように構成してもよい。これにより、表示板２の設置場所以外の場所、外出先から通信ネットワークを介して外部端末を用いて、表示板２の表示内容を閲覧することができる。
【００５９】
また、モニタ８は、例えば、パソコンのディスプレイや画面付のハンディ端末など、表示板２の表示内容を可視的に表示できるものであればよい。
【００６０】
さらに、本発明は、上記表示板のリーダエリアに液晶表示部を設け、予めデータベースにＩＣタグの所定情報に係る表示用情報を複数記憶させておき、例えば、表示板に貼付されたＩＣタグの組み合わせに応じて、該データベースから所定の表示用情報を読み出し、この読み出した表示用情報と該当するＩＣタグの所定情報とを関連付けて、前記液晶表示部及びモニタに画面表示させることができるように構成してもよい。以下に、本発明に係る第２表示板システム１´として、図面を用いて説明する。
【００６１】
図７に示すように、本発明に係る第２表示板システム１´は、表示板２´と、情報表示タグ３´と、リーダ４´と、列見出し表示タグ５´と、列見出しリーダ６´と、サーバ７´と、モニタ８´と、データベース９´と、情報制御手段１０´とから構成される。なお、これら構成要素において、上記表示板システム１と同様の機能を有するものに関しては、同じ名称を用いてその説明を省略する。
【００６２】
表示板２´は、図８に示すように、鉄等の磁性体からなり、表面にマトリクス状に形成されたリーダエリア２１´と、該リーダエリアの列見出し２２´とから構成される。なお、表示板２´に形成されるリーダエリア２１´は、該表示板２´が設置される職場や環境に応じて行及び列の数が設定されている（本実施形態では、リーダエリア２１は、６行５列のマトリクス状に形成されている）。
【００６３】
また、表示板２´では、上記のようにマトリクス状に形成されたリーダエリア２１´の行の端部に、液晶表示部２３´が設置されている（例えば、図８に示すように、６行５列のマトリクス状にリーダエリア２１´が形成されている場合、液晶表示部２３´は５列目に設置される）。液晶表示部２３´は、サーバ７´に記憶され、該液晶表示部２３´と同じ行に位置するいずれかのリーダエリア２１´に貼り付けられた情報表示タグ３´に係る表示用情報を表示するためのものである。なお、本実施形態では液晶表示部２３´を用いているが、これに限定されず、他種類の表示器を用いて構成してもよい。
【００６４】
データベース９´は、情報表示タグ３´のメモリ部３１ａに記憶された前記所定情報に係る表示用情報を予め記憶するためのものである。
【００６５】
情報制御手段１０´は、表示板２´のリーダエリア２１´に情報表示タグ３´が貼り付けられたときに、この情報表示タグ３´に記憶されている所定情報に基づいて、データベース９´から対応する表示用情報を検索し、該情報をサーバ７´に送信するためのものである。
【００６６】
なお、情報表示タグ３´に記憶されている所定情報には、予め優先度が設定されている。例えば、本実施形態では、行方向に並んだ複数のリーダエリア２１´に情報表示タグ３´が貼り付けられている場合、優先度は、高い方から順に、「名前（社員名）」に関する情報、「携帯」に関する情報（詳しくは、携帯への連絡を希望するか否かの情報）、「行き先」に関する情報、「行動予定内容」に関する情報となっている。
【００６７】
これにより、情報制御手段１０´は、行方向に並んだ複数のリーダエリア２１´に情報表示タグ３´が貼り付けられたときに、これら情報表示タグ３´に記憶されている所定情報のうち最も優先度の高い所定情報に基づいて、データベース９´から対応する表示用情報を検索して、該情報を前記サーバ７´に送信するように構成されている。
【００６８】
サーバ７´は、リーダエリア２１´に情報表示タグ３´が貼り付けられたときに、このリーダエリア２１´に設置されたリーダ４´により情報表示タグ３´から読み出された所定情報と、表示板２´におけるこのリーダエリア２１´の位置と、列見出しリーダ６´により列見出し表示タグ５´から読み出された列情報と、情報制御手段１０´により送信された表示用情報とを対応させて記憶する。
【００６９】
このようにサーバ７´が対応させて記憶した情報、すなわち所定情報と、表示板２´におけるリーダエリア２１´の位置と、前記列情報、情報制御手段１０´により送信された前記表示用情報は、モニタ１０´に関連付けて表示される。また、サーバ７´が記憶した前記表示用情報は、この情報が記憶されている情報表示タグ３´が貼り付けられているリーダエリア２１´と同じ行に位置する液晶表示部２３´に表示される。
【００７０】
続いて、上記のような構成の第２表示板システム１´における処理の流れについて、図１０のフローチャートを用いて説明する。
【００７１】
まず、リーダエリア２１´に情報表示タグ３´が貼り付けられたか否かを判定する（ステップＳ２０１）。ここで、表示板２´のリーダエリア２１´に情報表示タグ３´が貼り付けられていないと判定された場合は、ステップＳ２０３´に進む。一方、リーダエリア２１´に情報表示タグ３´が貼り付けられたと判定された場合は、この情報表示タグ３´のメモリ部３１ａ´に記憶されている所定情報をリーダ４´により読み出し（ステップＳ２０２）、ステップＳ２０３に進む。
【００７２】
ステップＳ２０３では、表示板２´の列見出し２２´に列見出し表示タグ５´が貼り付けられているか否かを判定する。ここで、列見出し２２´に列見出し表示タグ５´が貼り付けられていないと判定された場合は、ステップＳ３００の表示用情報検索処理に進む。一方、列見出し２２´に列見出し表示タグ５´が貼り付けられたと判定された場合は、この列見出し表示タグ５´の第２メモリ部５１ａ´に記憶されている列情報を列見出しリーダ６´により読み出し（ステップＳ２０４）、ステップＳ３００の表示用情報検索処理に進む。
【００７３】
表示用情報検索処理Ｓ３００では、情報制御手段１０´により、行方向に並んだ複数のリーダエリア２１´に情報表示タグ３´が貼り付けられたときに、これら情報表示タグ３´に記憶されている所定情報のうち最も優先度の高い所定情報に基づいて、データベース９´から対応する表示用情報を検索して、該情報を前記サーバ７´に送信される。
【００７４】
ここで、図１１に示すようなフローチャートに基づいてより詳しく説明すると、まず、行方向に並んだ複数のリーダエリア２１´に情報表示タグ３´が貼り付けられているか否かを判定する（ステップＳ３０１）。ここで、行方向に並んだ複数のリーダエリア２１´に情報表示タグ３´が貼り付けられていないと判定された場合は、ステップＳ３１０に進む。一方、行方向に並んだ複数のリーダエリア２１´に情報表示タグ３´が貼り付けられていると判定された場合、「名前」の列見出し表示タグ５´が貼り付けられた列（以下、『名前』欄と称する）に情報表示タグ３´が貼り付けられているか否かを確認する（ステップＳ３０２）。ここで、『名前』欄に、社員名が書かれた情報表示タグ３´が貼り付けられていないと確認された場合は、本処理を終了する。
【００７５】
例えば、図８の表示板２´のリーダエリア２１´の６行目の場合、『名前』欄に社員名が書かれた情報表示タグ３´が貼り付けられていないため、情報制御手段１０´によるデータベース９´の検索は行われない。
【００７６】
一方、『名前』欄に、社員名が書かれた情報表示タグ３´が貼り付けられていると確認された場合は、「携帯」の列見出し表示タグ５´が貼り付けられた列（以下、『携帯』欄と称する）に携帯電話に連絡して欲しい旨を示す（図８中では◎印が付された）情報表示タグ３´が貼り付けられているか否かを確認する（ステップＳ３０３）。ここで、『携帯』欄に、携帯電話に連絡して欲しい旨を示す情報表示タグ３´が貼り付けられていると確認された場合は、情報制御手段１０´により、リーダ４´により読み出された『名前』欄の情報表示タグ３´のメモリ部３１ａ´に記憶されている「社員名」情報を元に、データベース９´から携帯番号を検索し（ステップＳ３０４）、ステップＳ３１２に進む。
【００７７】
例えば、図８の表示板２´のリーダエリア２１´の１行目の場合、『名前』欄に「田中」と社員名が書かれた情報表示タグ３´が貼り付けられ、且つ、『携帯』欄に携帯電話に連絡して欲しい旨を示す情報表示タグ３´が貼り付けられているため、情報制御手段１０´は、リーダ４´により読み出された『名前』欄にあるタグのメモリ部３１ａ´に記憶されている「田中」の社員名情報を元に、データベース９´から携帯番号を検索する。
【００７８】
一方、上記ステップ３０３で、『携帯』欄に、携帯電話に連絡して欲しい旨を示す情報表示タグ３´が貼り付けられていないと確認された場合は、「行き先」の列見出し表示タグ５´が貼り付けられた列（以下、『行き先』欄と称する）に行き先を示す情報表示タグ３´が貼り付けられているか否かを確認する（ステップＳ３０５）。ここで、『行き先』欄に、行き先を示す情報表示タグ３´が貼り付けられていると確認された場合は、情報制御手段１０´により、リーダ４´により読み出された『行き先』欄の情報表示タグ３´のメモリ部３１ａ´に記憶されている「行き先」情報を元に、データベース９´から電話番号を検索し（ステップＳ３０６）、ステップＳ３１２に進む。
【００７９】
例えば、図８の表示板２´のリーダエリア２１´の２行目の場合、『名前』欄に「山田」と社員名が書かれた情報表示タグ３´が貼り付けられ、『携帯』欄に携帯電話に連絡して欲しい旨を示す情報表示タグ３´はなく、且つ、『行き先』欄に「本社技術部」と行き先を示す情報表示タグ３´が貼り付けられているため、情報制御手段１０´は、リーダ４´により読み出された『行き先』欄にあるタグのメモリ部３１ａ´に記憶されている「本社技術部」の行き先情報を元に、データベース９´から電話番号を検索する。
【００８０】
また、上記ステップＳ３０５で、『行き先』欄に、行き先を示す情報表示タグ３´が貼り付けられてないと確認された場合は、「行き先予定内容」の列見出し表示タグ５´が貼り付けられた列（以下、『行き先予定内容』欄と称する）に、有給休暇中である旨を示す情報表示タグ３´以外のタグが貼り付けられているか否かを確認する（ステップＳ３０７）。ここで、『行き先予定内容』欄に、有給休暇中である旨を示す情報表示タグ３´以外のタグが貼り付けられていると確認された場合は、情報制御手段１０´により、リーダ４´により読み出された『名前』欄の情報表示タグ３´のメモリ部３１ａ´に記憶されている「社員名」情報を元に、データベース９´から携帯番号を検索し（ステップＳ３０８）、ステップＳ３１２に進む。
【００８１】
例えば、図８の表示板２´のリーダエリア２１´の３行目の場合、『名前』欄に「佐藤」と社員名が書かれた情報表示タグ３´が貼り付けられ、『携帯』欄に携帯電話に連絡して欲しい旨を示す情報表示タグ３´はなく、『行き先』欄に行き先を示す情報表示タグ３´はなく、且つ、『行き先予定内容』欄に有給休暇中である旨を示す情報表示タグ３´以外のタグ（ここでは営業に出かけている旨を示す情報表示タグ３´）が貼り付けられているため、情報制御手段１０´は、リーダ４´により読み出された『名前』欄にあるタグのメモリ部３１ａ´に記憶されている「佐藤」の社員名情報を元に、データベース９´から携帯番号を検索する。
【００８２】
上記ステップＳ３０７で、『行き先予定内容』欄に、有給休暇中である旨を示す情報表示タグ３´が貼り付けられていないと確認された場合は、情報制御手段１０´により、リーダ４´により読み出された『名前』欄の情報表示タグ３´のメモリ部３１ａ´に記憶されている「社員名」情報を元に、データベース９´から自宅番号を検索し（ステップＳ３０９）、ステップＳ３１２に進む。
【００８３】
例えば、図８の表示板２´のリーダエリア２１´の４行目の場合、『名前』欄に「渡辺」と社員名が書かれた情報表示タグ３´が貼り付けられ、『携帯』欄に携帯電話に連絡して欲しい旨を示す情報表示タグ３´はなく、『行き先』欄に行き先を示す情報表示タグ３´はなく、且つ、『行き先予定内容』欄に有給休暇中である旨を示す情報表示タグ３´が貼り付けられているため、情報制御手段１０´は、リーダ４´により読み出された『名前』欄にあるタグのメモリ部３１ａ´に記憶されている「渡辺」の社員名情報を元に、データベース９´から自宅番号を検索する。
【００８４】
また、上記ステップＳ３０１で、行方向に並んだ複数のリーダエリア２１´に情報表示タグ３´が貼り付けられていないと判定された場合は、『名前』欄に情報表示タグ３´が貼り付けられているか否かを確認する（ステップＳ３１０）。ここで、『名前』欄に、社員名が書かれた情報表示タグ３´が貼り付けられていないと確認された場合は、本処理を終了する。一方、『名前』欄に、社員名が書かれた情報表示タグ３´が貼り付けられていると確認された場合は、情報制御手段１０´により、リーダ４´により読み出された『名前』欄の情報表示タグ３´のメモリ部３１ａ´に記憶されている「社員名」情報を元に、データベース９´から自宅番号を検索し（ステップＳ３１１）、ステップＳ３１２に進む。
【００８５】
例えば、図８の表示板２´のリーダエリア２１´の５行目の場合、『名前』欄に「山本」と社員名が書かれた情報表示タグ３´だけが貼り付けられているため、情報制御手段１０´は、リーダ４´により読み出された『名前』欄にあるタグのメモリ部３１ａ´に記憶されている「山本」の社員名情報を元に、データベース９´から自宅番号を検索する。
【００８６】
ステップＳ３１２では、情報制御手段１０´が、データベース９´から対応する（ステップＳ３０４，Ｓ３０６，Ｓ３０８，Ｓ３０９及びＳ３１１のいずれかで）検索された表示用情報をサーバ７´に送信して、本処理を終了する。
【００８７】
続いて、ステップＳ２０５に進み、サーバ７´が、上記ステップＳ２０２でリーダ４´によって情報表示タグ３´から読み出された前記所定情報と、この情報表示タグ３´が貼り付けられた表示板２´におけるこのリーダエリア２１´の位置と、上記ステップＳ２０４で列見出しリーダ６´により列見出し表示タグ５´から読み出された前記列情報と、上記ステップＳ３００で情報制御手段１０´により送信された表示用情報とを対応させて記憶する。
【００８８】
そして、ステップＳ２０６に進み、モニタ８´は、サーバ７´が対応させて記憶した前記所定情報と、前記表示板２´におけるリーダエリア２１´の位置と、前記列情報と、情報制御手段１０´により送信された前記表示用情報とを関連付けて画面表示する。
【００８９】
例えば、図９のモニタ８´のリーダエリアの１行目には、図８の表示板２´のリーダエリア２１´の１行目の表示内容がそのまま表示される。すなわち、『名前』欄に「田中」、『行き先』欄に「Ａ社」、『行動予定内容』欄に「打ち合わせ」、『携帯』欄に携帯電話に連絡して欲しい旨（図中では◎印で表している）、及び、『連絡先』欄に表示用情報である「090-234-567*（田中さんの携帯番号）」を関連付けて、同じ行に位置するように画面表示される。
【００９０】
また、上記ステップＳ２０６とともに、液晶表示部２３´は、サーバ７´に記憶されて、該液晶表示部２３´と同じ行に位置するいずれかのリーダエリア２１´に貼り付けられた情報表示タグ３´に係る表示用情報を表示し（ステップＳ２０７）、本処理を終了する。
【００９１】
例えば、図８の表示板２´のリーダエリア２１´の１行目に位置する液晶表示部２３´（ここでは『連絡先』欄）には、『名前』欄の「田中」を示すタグ、『行き先』欄に「Ａ社」を示すタグ、『行動予定内容』欄に「打ち合わせ」を示すタグ及び『携帯』欄に携帯電話に連絡して欲しい旨（図中では◎印で表している）を示すタグに係る表示用情報、すなわち「090-234-567*（田中さんの携帯番号）」が表示される。
【００９２】
このような構成により、本発明に係る第２表示板システム１´は、表示板２´の表示内容を、モニタ８´にそのまま画面表示することが可能である。さらに、表示板２´の（マトリクス状に形成されたリーダエリア２１´の）同じ行に貼付された情報表示タグ３´の組み合わせに応じて、データベース９´から該当する表示用情報を読み出し、この読み出した情報を、前記情報表示タグ３´が貼り付けられた同じ行の端部に設けた液晶表示部２３´（表示エリア）に表示するようになっている。その結果、例えば、情報表示タグ３´が複数貼り替えられるような場合でも、これに係る情報更新は簡単且つスピーディーに行うことができ、大変使い勝手がよい。
【００９３】
なお、本発明に係る第２表示板システム１´は、データベース９´で表示用情報の管理を行っているが、本実施形態に限定されるものではない。例えば、データベースに替わって、（社員名等の所定情報に加えて）予め表示用情報を記憶させた情報表示タグを用意し、表示板に設けられたリーダで貼付されたタグの情報を読み取り、この読み取った情報をサーバに送信し、サーバで行方向に添付された複数のタグから読み取った情報を優先度に応じて選択し、この選択した表示用情報を表示板の液晶表示部やモニタに表示させる構成とすることも可能である。
【図面の簡単な説明】
【００９４】
【図１】本発明の表示板システムを示す説明図である。
【図２】本発明に係る表示板における情報表示タグとリーダエリアとリーダ、及び、列列見出し表示タグと列見出しと列見出しリーダの位置に関する説明図である。
【図３】本発明に係る情報表示タグの説明図である。
【図４】本発明に係る列見出し表示タグの説明図である。
【図５】本発明に係るモニタの画面例を示す図である。
【図６】本発明の表示板システムにおける処理を示すフローチャートである。
【図７】本発明に係る第２表示板システムを示す説明図である。
【図８】本発明に係る第２表示板における情報表示タグとリーダエリアとリーダ、列列見出し表示タグと列見出しと列見出しリーダの位置、及び、液晶表示部に関する説明図である。
【図９】本発明に係る第２モニタの画面例を示す図である。
【図１０】本発明に係る第２表示板システムにおける処理を示すフローチャートである。
【図１１】本発明に係る第２表示板システムにおける処理（表示用情報検索処理）を示すフローチャートである。
【符号の説明】
【００９５】
１    表示板システム
２    表示板
２１  リーダエリア
２２  列見出し
３  情報表示タグ
３１  ＩＣタグ
３１ａ  メモリ部
３１ｂ  アンテナ部
３２  ラベル部
３３  固定部
３４  アンテナ部
４  リーダ
５  列見出し表示タグ
５１  第２ＩＣタグ
５１ａ  第２メモリ部
５１ｂ  第２アンテナ部
５２  第２ラベル部
５３  第２固定部
５４  第２アンテナ部
６  列見出しリーダ
７  サーバ
８  モニタ（画面表示手段）
９  通信ネットワーク
１´    表示板システム（第２実施例）
２´    表示板        （第２実施例）
２１´  リーダエリア  （第２実施例）
２２´  列見出し      （第２実施例）
３´  情報表示タグ    （第２実施例）
３１ａ´  メモリ部    （第２実施例）
４´  リーダ          （第２実施例）
５´  列見出し表示タグ（第２実施例）
６´  列見出しリーダ  （第２実施例）
７´  サーバ          （第２実施例）
８´  モニタ（画面表示手段／第２実施例）
【図１】
2006119168.tif 000003
【図２】
2006119168.tif 000004
【図３】
2006119168.tif 000005
【図４】
2006119168.tif 000006
【図５】
2006119168.tif 000007
【図６】
2006119168.tif 000008
【図７】
2006119168.tif 000009
【図８】
2006119168.tif 000010
【図９】
2006119168.tif 000011
【図１０】
2006119168.tif 000012
【図１１】
2006119168.tif 000013